(57)【要約】【課題】  床面を水平に構成しても従来の機能が損なわれることのないベッドの床面構造を提案すること。【解決手段】  ベッド１００は、前後方向に長い矩形枠状のフレーム１０２と、水平な床面１０３とを有している。床面１０３は、ベッド１００の前後方向に所定の間隔をあけて平行かつ水平に配列された複数本の丸棒材１３１によって規定されている。丸棒材１３１の左右の端部１３１ａ、１３２ｂはそれぞれ、上下方向に伸縮するコイルバネ１０５によって支持されている。従って、床面１０３に人間Ｐが横になると、身体の各部分の荷重に応じてコイルバネ１０５が弾性変形して各棒材１３１が個別に沈み込み、身体の各部分を均等に支えることができる。【選択図】  図１
0003108013.tif 000002
【実用新案登録請求の範囲】
【請求項１】
左右の端部がそれぞれ、上下方向に弾性変形可能な弾性支持部材によって、上下方向に移動可能な状態で支持されている木製の棒材を、ベッドの前後方向に複数本、所定の間隔をあけて平行かつ水平に配列することにより、水平な床面が構成されていることを特徴とするベッドの床面構造。
【請求項２】
請求項１において、
前記棒材は円形断面の棒材であることを特徴とするベッドの床面構造。
【請求項３】
請求項２において、
前記棒材はヒノキ製の棒材であることを特徴とするベッドの床面構造。
【請求項４】
マットレス本体と、該マットレス本体の表面にマトリクス状に配置された複数個の木製半球体とを有していることを特徴とするマットレス。
【請求項５】
請求項４において、
マットレス本体は、下から軟質ウレタン樹脂層、硬質ウレタン樹脂層、低反発ウレタン樹脂層がこの順番に積層された構造のものであることを特徴とするマットレス。
【請求項６】
請求項４または５において、
前記半球体はヒノキ製の半球体であることを特徴とするマットレス。
【請求項７】
請求項４ないし６のいずれかにおいて、
少なくとも２つ折り以上に折り畳み可能であることを特徴とするマットレス。
【請求項８】
半円形断面のヒノキなどの木材を、各木材の円弧面が上向きの状態で平行に配列することにより規定される座面を備えている椅子。
【請求項９】
半円形断面のヒノキなどの木材を、各木材の円弧面が上向き状態で平行に配列することにより規定される足置き面を備えている足置き。
【考案の詳細な説明】
【技術分野】
【０００１】
本考案はベッドの床面構造およびベッドの床面に敷かれるマットレスに関するものである。
【背景技術】
【０００２】
ベッドの床面としては、マットレスなどの寝具に吸収された汗などの水分を床面の側から蒸発させるために、複数本の板材や竹材をベッドの前後方向に所定の間隔をあけて平行に並べてスノコ状に形成されたものが知られている。
【考案の開示】
【考案が解決しようとする課題】
【０００３】
しかしながら、この構造のベッドの床面では、長期間のベッドの使用を余儀なくされるような場合には、床面が硬いことから、床擦れを起こすことがある。
【０００４】
そこで、床面を構成する板材にバネ性を持たせたウッドスプリング式のベッドが市販されている。かかるベッドでは、板材にバネ性を持たせてそれ自身をスプリングとして機能させるために、板材をアーチ状に湾曲させている。この板バネによって構成された床面に身体が載ると、荷重に応じて板バネが下方に弾性変形し、身体の各部分を床面が均等に支えるので、床擦れが起き難い。弾性変形した板バネは、身体が床面から離れると、復帰力によって元の湾曲した形状に戻る。
【０００５】
このように、ウッドスプリング式のベッドでは、板材をアーチ状に湾曲させていることから、床面は蒲鉾形状に中心部分が膨らんでいる。このため、使用者が特に高齢者の場合、ある種の不安感を抱くことがある。
【０００６】
本考案の課題は、床面を水平に構成しても従来の機能が損なわれることのないベッドの床面構造を提案することにある。
【０００７】
また、本考案の課題は、床面が硬いベッドと組み合わせて長期間使用した場合でも床擦れが起き難いマットレスを提案することにある。
【課題を解決するための手段】
【０００８】
上記の課題を解決するために、本考案のベッドの床面構造は、左右の端部がそれぞれ、上下方向に弾性変形可能な弾性支持部材によって、上下方向に移動可能な状態で支持されている木製の棒材を、ベッドの前後方向に複数本、所定の間隔をあけて平行かつ水平に配列することにより、水平な床面が構成されていることを特徴としている。
【０００９】
床面に身体が載ると、荷重に応じて各弾性支持部材が下方に個別に弾性変形して各棒材が個別に沈み込み、床面は全体として身体のラインに沿って変形する。よって、身体の各部分を床面が均等に支えるので、長期間のベッドの使用を余儀なくされるような場合でも、床擦れを起こし難い。また、隣接している棒材の間の隙間から敷布団などの寝具に吸収された汗などの水分を蒸発させることができる。
【００１０】
ここで、前記棒材は丸棒材であることが望ましい。丸棒材によって身体にほど良い刺激が与えられ、マッサージ効果による血行促進などを図ることができる。
【００１１】
また、ヒノキ製の棒材を用いることが望ましい。ヒノキには、ヒノキチオールと呼ばれる芳香成分を多く含有しており、このヒノキチオールには、鎮静効果、消臭効果、殺虫効果、抗菌効果といった効能があることで知られている。このため、休息時や睡眠時に神経をリラックスさせて疲れを癒すことができる。また、敷布団などの寝具を害虫や細菌から守ることもできる。
【００１２】
次に、本考案のマットレスは、マットレス本体と、該マットレス本体の表面にマトリクス状に配置された複数個の木製半球体とを有していることを特徴としている。
【００１３】
マットレスに身体が載ると、荷重に応じてマットレス本体が沈み込み、身体の各部分はそれに対応した位置の半球状材の頂部によって点で支えられる。ここで、マットレス本体は、下から軟質ウレタン樹脂層、硬質ウレタン樹脂層、低反発ウレタン樹脂層がこの順番に積層された構造のものであることが望ましい。このように構成すると、マットレス本体における最上層は低反発ウレタン樹脂層であるので、身体に対する反発力が小さい。よって、床面が硬いベッドと組み合わせて長期間使用した場合でも床擦れを起こし難い。また、半球状材を用いることにより身体に対してほど良い刺激を与えることができるので、マッサージ効果による血行促進などを図ることができる。
【００１４】
さらに、低反発ウレタン樹脂層と身体との間には、半球体によって隙間が形成される。よって、通気性がよく、また、木製半球体の吸湿性により、蒸れを防止することができる。
【００１５】
さらにまた、半球体をヒノキ製とした場合には、そこに含有されているヒノキチオールには、鎮静効果、消臭効果、殺虫効果、抗菌効果といった効能があるので、休息時や睡眠時に神経をリラックスさせて疲れを癒すことができるとともに、マットレスを害虫や細菌から守ることもできる。
【００１６】
次に、マットレスの収納、保管、取り扱いを容易にするためには、少なくとも２つ折り以上に折り畳み可能であることが望ましい。
【考案の効果】
【００１７】
本考案では、ベッドの床面を構成している複数本の棒材の左右の端部がそれぞれ上下方向に弾性変形可能な弾性支持部材によって支持されている。このため、床面に身体が載ると、荷重に応じて弾性支持部材が下方に弾性変形して棒材が沈み込むので、床面は身体のラインに沿って変形する。
【００１８】
よって、本考案のベッドの床面構造は、従来のウッドスプリング式の床面構造と同様、身体の各部分を床面が均等に支えるので、長期間のベッドの使用を余儀なくされるような場合でも、床擦れを起こし難い。また、隣接している棒材の間の隙間から敷布団などの寝具に吸収された汗などの水分を蒸発させることができる。
【００１９】
このように、本考案によれば、従来と同等の機能を併せ持ちながら床面を水平に構成できる。よって、使用者が高齢者の場合でも、不安感を抱くことがなく、使用することができる。
【００２０】
次に、本考案のマットレスでは、マットレス本体の上にヒノキなどの木材からなる半球体がマトリクス状に配置されている。このため、マットレスに身体が載ると、荷重に応じてマットレス本体が沈み込むので、身体の各部分はそれに対応した位置の半球状材の頂部によって点で支えられることになる。
【００２１】
よって、本考案のマットレスによれば、床面が硬いベッドと組み合わせて長期間使用した場合でも床擦れを起こし難い。また、半球状材による身体に対する刺激をあるレベル以下に抑えることができるので、マッサージ効果により血行の促進などを図ることができる。
【考案を実施するための最良の形態】
【００２２】
以下に、図面を参照して、本考案の各実施の形態を説明する。
【００２３】
（ベッド）
図１（ａ）および（ｂ）は、本考案を適用したベッドの斜視図、およびそのベッドに人間が横になった状態を示す斜視図である。図２（ａ）〜（ｃ）はそれぞれ、図１に示すベッドの内部構造を示す説明図である。
【００２４】
これらの図に示すように、本例のベッド１００は、前後方向に長い矩形枠状の木製ベッドフレーム１０２と、水平な床面１０３とを有している。床面１０３は、木製ベッドフレーム１０２の幅方向に水平に架け渡された複数本の棒材１３１によって規定されている。各棒材１３１の断面形状が円形の丸棒である。勿論、四角形、六角形などの多角形断面の棒材を用いることも可能である。各棒材１３１は上下方向に移動可能な状態で支持されており、図１（ｂ）において想像線で示すように、床面１０３に人間Ｐが横になると、身体の各部分の荷重に応じて、所定量だけ下方に沈み込んで身体の各部分を均等に支えることが可能となっている。
【００２５】
木製ベッドフレーム１０２は、前後方向に平行に延びている一対のサイドフレーム１２１、１２２と、サイドフレーム１２１、１２２のそれぞれの端部を繋いでいる幅方向の一対の連結フレーム１２３、１２４とからなる。図２から分かるように、サイドフレーム１２１は、縦長の矩形断面をした外側フレーム１２１Ａと、この内側面１２１ｂに固定した略正方形の内側フレーム１２１Ｂから構成され、丈の低い内側フレーム１２１Ｂの上面１２１ａは、コイルばね１０５を介して、棒材１３１の一方の端部１３１ａを支持している。他方のサイドフレーム１２２も同様な構成であり、図示を省略してあるが、外側フレームおよび内側フレームから構成され、内側フレームの上面は、コイルばね１０５を介して、棒材１３１の他方の端部１３１ｂを支持している。
【００２６】
棒材１３１は、ヒノキチオールと呼ばれる芳香成分を多く含有するヒノキから形成されており、ベッド１００の前後方向に所定の間隔をあけて、平行かつ水平に幅方向に架け渡した状態に配列されている。本例では、隣接する棒材１３１の間に約１ｍｍの隙間３００ができるように配列されている。棒材１３１における左右の端部１３１ａ、１３１ｂは、本体部分よりも小径に形成された小径部分とされている。この小径部分１３１ａ、１３１ｂは、サイドフレーム１２１、１２２の内側面、すなわち、外側フレーム１２１Ａ、１２２Ａの内側面１２１ｂに一定の間隔で垂直に取り付けられた木製角材からなるガイド部材１０７の間に上下に移動可能な状態で位置している。
【００２７】
また、棒材１３１の左右の端部１３１ａ、１３１ｂを支持している各コイルばね１０５は、各ガイド部材１０７の間に垂直に配置されている。サイドフレーム１２１、１２２の外側フレーム１２１Ａ、１２２Ａの上面には、これよりも広幅の木製板材からなるストッパ１０８が固定されており、このストッパ１０８の下面部分とコイルばね１０５の間に、各棒材１３１の左右の端部１３１ａ、１３１ｂがそれぞれ挟まれた状態となっている。なお、コイルばね１０５の下端部は、サイドフレーム１２１、１２２の内側フレーム１２１Ｂ、１２２Ｂの上面に固定した木製の角棒１０９と、外側フレーム１２１Ａ、１２２Ａの内側面１２１ｂ、１２２ｂとの間に挟まれ、ガイド部材１０７の間から外れないようになっている。
【００２８】
このように構成されたベッド１００では、床面１０３に、例えば、夏期はベッドパッドなどの薄い敷布団、冬期は普段使用している敷布団を１枚、敷いて使用する。そこに人間Ｐが横になると、身体の各部分の荷重に応じて各コイルバネ１０５が個別に弾性変形して各棒材１３１が個別に沈み込む。すなわち、床面１０３が身体のラインに沿って変形するので、身体の各部分は床面１０３によって均等に支えられることになる。それ故、身体のある部分が体重の圧迫のため擦れるようなことはないので、長時間の使用を余儀なくされるような場合でも、床擦れが起き難い。なお、掛け布団は、四季折々調整すればよい。
【００２９】
一方、床面１０３から人間Ｐが離れると、コイルバネ１０５の復帰力によって沈み込んだ各棒材１３１が押し上げられるので、床面１０３は元の水平な状態に戻る。
【００３０】
以上のように、本例のベッド１００の床面１０３は、従来のウッドスプリング式の床面構造と同様、身体のラインに沿って変形し、身体の各部分を均等に支えることができるので、長期間のベッドの使用を余儀なくされるような場合でも、床擦れを起こし難い。
【００３１】
また、床面１０３を構成している各棒材１３１の間にはそれぞれ僅かな隙間３００があいている。よって、通気性がよいので、各隙間３００から敷布団などの寝具に吸収された汗などの水分を蒸発させることができる。また、棒材１３１の原料であるヒノキなどの木材は、竹材と比較して、吸湿性に優れているので、蒸れを防止することができる。よって、夏期でも快適に眠ることができる。
【００３２】
さらに、本例の棒材１３１は断面形状が円形であるので、当該棒材１３１による身体に対する刺激がほど良く、マッサージ効果により血行の促進などを図ることができる。よって、身体が温まり、また、棒材１３１の原料であるヒノキなどの木材の保温効果により、個人差はあるが冬期でも１０分位で足先まで温かくなる。それ故、冷性に大変有効である。
【００３３】
これに加えて、本例ではヒノキ製の棒材１３１を用いており、ヒノキはヒノキチオールと呼ばれる芳香成分を多く含有している。ヒノキチオールには、鎮静効果、消臭効果、殺虫効果、抗菌効果といった効能がある。よって、休息時や睡眠時に神経をリラックスさせて疲れを癒すことができるとともに、敷布団などの寝具を害虫や細菌から守ることもできる。
【００３４】
（マットレス）
図３（ａ）〜（ｃ）はそれぞれ、本考案を適用したマットレスの平面図、その縦断面図、および人間が横になった状態での縦断面図である。
【００３５】
これらの図に示すように、本例のマットレス２００は、全体を覆うように掛けられたカバー２０２の内部に、下から軟質ウレタン樹脂層２３１、硬質ウレタン樹脂層２３２、低反発ウレタン樹脂層２３３がこの順番に積層されたマットレス本体２０３と、低反発ウレタン樹脂層２３３の表面２３３ａにマトリクス状に配置されたヒノキなどの木材からなる複数の半球体２０４とを有している。これらウレタン樹脂層２３１、２３２、２３３の間、および低反発ウレタン樹脂層２３３と半球体２０４は、たとえば接着剤などによってずれないように固定されている。
【００３６】
マットレス本体２０３において、長さ方向に略三等分した２ヶ所の部位には、幅方向に延びる切れ目２１１、２１２が形成されている。切れ目２１１、２１２はマットレス本体２０３の厚さ方向に半分だけ切断した部分である。切れ目２１１はマットレス本体２０３の表面側に形成され、切れ目２１２は裏面側に形成されている。本例では、マットレス本体２０３を、切れ目２１１および２１２に沿って折り畳むことにより、三重に折り畳むことができるようになっている。勿論、２重、あるいは３重以上に折り畳むことができるようにしてもよい。
【００３７】
このように構成したマットレス２００では、人間Ｐが横になると、図３（ｃ）に示すように、身体の各部分の荷重に応じてマットレス本体２０３が沈み込むので、身体の各部分はそれに対応した位置の半球体２０４の頂部によって点で支えられる。また、マットレス本体２０３における最上層は低反発ウレタン樹脂層２３３であるので、身体に作用する反発力が小さい。それ故、本例のマットレス２００を、例えば、床面が硬いベッドと組み合わせて長期間使用したしたとしても床擦れを起こすことはない。
【００３８】
また、半球体２０４は身体にほど良い刺激を与えることができるので、マッサージ効果により血行が良くなるなどの効果が得られる。よって、身体が温まり、また、半球体２０４の原料であるヒノキなどの木材の保温効果により、個人差はあるが冬期でも１０分位で足先まで温かくなる。それ故、冷性に大変有効である。
【００３９】
さらに、軟質ウレタン樹脂層２３１と低反発ウレタン樹脂層２３３の間に硬質ウレタン樹脂層２３２が挟まれているので、身体が載った際に、低反発ウレタン樹脂層２３３が沈み過ぎてしまうことがなく、低反発ウレタン樹脂層２３３と身体との間には、半球体２０４によって隙間が形成される。よって、通気性がよく、また、半球体２０４の原料であるヒノキなどの木材の吸湿性により、蒸れを防止することができる。よって、夏期でも快適に眠ることができる。
【００４０】
さらには、本例のマットレス２００は構造が簡単であるため安価に製造できるという利点もある。
【００４１】
これに加えて、ヒノキ製の半球体２０４を用いた場合には、そこに含有されているヒノキチオールが鎮静効果、消臭効果、殺虫効果、抗菌効果といった効能があるので、休息時や睡眠時に神経をリラックスさせて疲れを癒すことができるとともに、マットレスを害虫や細菌から守ることもできる。
【００４２】
（椅子）
図４は、本考案を適用した椅子の座部を示す斜視図である。この図に示すように、本例の椅子の座部３０１の座面３１１は、幅方向に隙間の無い状態で平行に配列された複数本の棒材３０５によって規定されている。各棒材３０５は、木製の丸棒材を半割りにして得られる半円形断面の棒材であり、それぞれの円弧面３５１が上に向いた状態で配置されている。また、各棒材３０５はヒノキチオールと呼ばれる芳香成分を多く含有するヒノキなどから形成されていることが望ましい。
【００４３】
椅子の座部３０１では、半円柱状の棒材３０５は身体にほど良い刺激を与えることができるので、マッサージ効果により血行が良くなるなどの効果が得られる。よって、身体が温まり、また、棒材３０５の原料であるヒノキなどの木材の保温効果により、足先まで温かくなる。それ故、冷性に大変有効である。
【００４４】
これに加えて、ヒノキはヒノキチオールと呼ばれる芳香成分を多く含有している。ヒノキチオールには、鎮静効果、消臭効果、殺虫効果、抗菌効果といった効能がある。よって、休息時に神経をリラックスさせて疲れを癒すことができる。
【００４５】
なお、座部３０１の後端に設けられる背凭れ部においても、本例の座部３０１のように複数本の半円柱状の棒材から構成すると、マッサージ効果などの効能をさらに高めることができる。
【００４６】
（足置き）
次に、本例の座部３０１と同一の構造のものを、例えば、足置きとして採用した場合、足置き面を規定している半円柱状の棒材は、足裏にほど良い刺激を与えることができるので、足裏マッサージ効果により血行が良くなるなどの効果が得られる。また、木材の保温効果により、竹材から構成されている足置きに比べて、足先まで早く温かくなる。
【図面の簡単な説明】
【００４７】
【図１】（ａ）、（ｂ）は、本考案を適用したベッドの斜視図、およびそのベッドに人間が横になった状態を示す斜視図である。
【図２】図１のベッドにおける棒材の端部の支持構造を示す図であり、（ａ）はその部分平面図、（ｂ）は部分側面図、（ｃ）は部分平面図である。
【図３】（ａ）〜（ｃ）はそれぞれ、本考案を適用したマットレスの平面図、その縦断面図、および人間が横になった状態での縦断面図である。
【図４】本考案を適用した椅子の座部を示す斜視図である。
【符号の説明】
【００４８】
１００  ベッド
１０２  フレーム
１０３  床面
１２１、１２２  サイドフレーム
１３１  棒材
１３１ａ、１３１ｂ  端部
１０５  コイルバネ（弾性支持部材）
３００  隙間
２００  マットレス
２０３  マットレス本体
２３１  軟質ウレタン樹脂層
２３２  硬質ウレタン樹脂層
２３３  低反発ウレタン樹脂層
２０４  半球体
２１１、２１２  切れ目
３０１  椅子の座部
３１１  座面
３０５  半円柱材
３５１  円弧面
Ｐ  人間
【図１】
0003108013.tif 000003
【図２】
0003108013.tif 000004
【図３】
0003108013.tif 000005
【図４】
0003108013.tif 000006